(57)【要約】【課題】装着時に耳朶より落下する問題を解消するとともにデザイン性に優れ、しかも、構成が簡素で、製造し易く、経済的にも優れた遮断式ピアスの提供を可能とする。【解決手段】遮断式ピアス１０は、両端を所定の間隔で開放した飾り部１の一端２に、耳朶のピアス孔に挿通するピン３を対向端４に向けて枢軸動可能なＡ、Ｂ方向に回動させる枢軸部５を設け、対向端４にピン３を任意の位置で係止するフック部６を設け、ピン３の先端に膨張部８を設けてなるものである。【選択図】図１
0003149963.tif 000002
【実用新案登録請求の範囲】
【請求項１】
両端を所定の間隔で開放した飾り部の一端に、耳朶のピアス孔に挿通するピンを対向端に向けて枢軸動可能に回動させる枢軸部を設け、対向端に前記ピンを任意の位置で係止するフック部を設けてなる遮断式ピアスであって、前記ピンの先端に膨張部を設けたことを特徴とする遮断式ピアス。
【請求項２】
前記ピンの先端に球状の膨張部を設けたことを特徴とする請求項１記載の遮断式ピアス。
【考案の詳細な説明】
【技術分野】
【０００１】
本考案は、耳に取り付けて使用する遮断式ピアスの改良に関するものである。
【背景技術】
【０００２】
従来、耳朶にあけた孔にピンを挿通して取り付ける遮断式ピアスにおいては数多くの提案がされている。
【０００３】
例えば、揺動連結部を、両端を定位置で離隔した金属輪金具と、２つの孔を対向する位置に夫々穿設した中空体とで構成し、該中空体には耳朶に開けた孔に挿通するピンを固着する。そして該中空体の２つの該孔に該金属輪金具を挿通させ、揺動自在にすると共に該金属輪金具を装飾体を数珠繋ぎに挿通するリング状の金属ワイヤの一端に固着させ、該中空体に固着した該ピンを首振り自在にさせるピアスがある（例えば特許文献１参照。）。
【０００４】
また、装飾体の一端とピンの基端部とを支持軸によって回転可能に支持してなる装身具において、前記装飾体の一端およびピンの基端部のうち少なくとも一方に上記支持軸の軸孔が形成された軸受部を設けると共にこの軸受部には前記軸孔から外部に連通するスリッ
トを設け、軸孔に支持軸を挿通した時にスリットを押し広げることによって支持軸を弾性的に支持するようにした装身具がある。（例えば特許文献２参照。）。
【０００５】
また、一部を解放したリング状の金属ワイヤの一端をかしめて板状としてこの板状部に軸穴を孔開けし、他端から真珠その他のビーズ状装飾体を複数挿通した上、上記軸穴に耳たぶに挿通するピンの基端を軸着するとともに、上記金属ワイヤの他端に上記ピンの先端を侠着して着脱可能としたクリップ部を設けてなる耳飾りがある（例えば特許文献３参照。）。
【０００６】
また、両端を所定の間隔で開放したリング状装飾体の一端に、耳たぶに挿通するピンを対向端に向けて首振り自在に取り付けるとともに、上記リング状装飾体の開封他端に直接、ピンの先端をはめ込んで係止するフック部を設けてなる耳飾りがある（例えば特許文献４参照。）。
【０００７】
しかしながら、前記特許文献全ての遮断式の耳飾り及び遮断式のピアスは、基本的には、「両端を所定の間隔で開放したリング状飾り部の一端に、耳朶のピアス孔に挿通するピンを対向端に向けて首振り自在に軸着し、対向端に前記ピンの先端を係止するフック部を設けてなる」機構を用いている。
【０００８】
上記機構は、リング状飾り部に上方向からの力が加わった場合は、ピンはフック部にて係止されているため、ピンがフック部より外れ難い構造にはなっているが、
リング状飾り部の径が広がる方向に力が加わった場合は、ピンがフック部より抜け出てフック部より外れることにより、当該ピアスが耳朶より落下する問題が発生している。
【０００９】
前記問題を発生させないためには、本体部分であるリング状飾り部の直径を小さくして該飾り部の直径が広がらないよう変形強度を持たせているのが現状であり、そのために該飾り部のデザインも限られる欠点があった。
【先行技術文献】
【特許文献】
【００１０】
【特許文献１】特開平０９−１３５７１４号公報
【特許文献２】実開平０７−２８４１５号公報
【特許文献３】実開平０４−９６２１０号公報
【特許文献４】実開平０３−７９７１７号公報
【考案の概要】
【考案が解決しようとする課題】
【００１１】
解決しようとする問題点は、前記特許文献の欠点を解消すべく、装着時に本体部分であるリング状の飾り部の直径が広がらない構成にするとともにデザイン性に優れ、しかも、構成が簡素で、製造し易く、経済的にも優れた商品の提供をしようとするものである。
【課題を解決するための手段】
【００１２】
前記目的を達成するために、請求項１に係る遮断式ピアスにあっては、
両端を所定の間隔で開放した飾り部の一端に、耳朶のピアス孔に挿通するピンを対向端に向けて枢軸動可能に回動させる枢軸部を設け、対向端に前記ピンを任意の位置で係止するフック部を設け、前記ピンの先端に膨張部を設けてなるものである。
【００１３】
また、請求項２に係る遮断式ピアスにあっては、
両端を所定の間隔で開放した飾り部の一端に、耳朶のピアス孔に挿通するピンを対向端に向けて枢軸動可能に回動させる枢軸部を設け、対向端に前記ピンを任意の位置で係止するフック部を設け、前記ピンの先端に球状の膨張部を設けてなるものである。
【考案の効果】
【００１４】
本考案の遮断式ピアスは、耳朶のピアス孔に挿通するピン先端に膨張部を設けたことにより、本体部分であるリング状の飾り部の直径の広がりを防止することができ、それによりピンがフック部より抜け出ないため、当該ピアスが耳朶より落下する問題を解消することができたとともに大柄形状にて軽量化を図ることが可能なビッグジュエリーとしての提供が可能となった。
【００１５】
また、本体部分であるリング状の飾り部を形成させるものとして、適度の形状が保てる材料であれば使用可能であるため、デザイン性に優れ、しかも、構成が簡素で、製造し易く、経済的にも優れた商品の提供が可能となった。
【図面の簡単な説明】
【００１６】
【図１】本考案の遮断式ピアスの実施例を示す正面図である。
【図２】本考案の遮断式ピアスのフック部がピンを開放・係止する状態を示す部分拡大図である。
【図３】本考案の遮断式ピアスのピン先端に膨張部を設けたことにより、ピンがフック部より抜け出ない状態を斜視図・平面図・正面図を切り欠いて示した拡大図である。
【図４】従来の遮断式ピアスのピンが係止する状態を斜視図・平面図・正面図を切り欠いて示した拡大図である。
【考案を実施するための形態】
【００１７】
装着時に耳朶より落下する問題を解消するとともにデザイン性に優れ、しかも、構成が簡素で、製造し易く、経済的にも優れた遮断式ピアスを提供するという目的を、以下において、図面に基づいて説明する。
【実施例】
【００１８】
図１は、本考案の遮断式ピアス１０の一実施例を示す正面図であり、当該ピアス１０は、全て貴金属の品位Ｋ１８からなり、飾り部１と、ピン３と、枢軸部５と、フック部６の部材を用いて構成してなるものであり、
飾り部１は、大きさを直径４５ｍｍとし、丸線材にて太さは１．２ｍｍとして両端を１０ｍｍ間隔で開放して一端２と対向端４を設けて形成した。
【００１９】
ピン３は、基端と先端を有して丸線材にて太さは０．８ｍｍ、長さ１５ｍｍとして、基端は、枢軸部５と係合する部分をかしめて板状としてその部分に軸穴を設け、先端は、先端より基端方向の４．５ｍｍの位置にて１５度に折り曲げるとともに先端に膨張部８を設けて形成した。
【００２０】
枢軸部５は、両端を円形に拡幅した帯状の板をＵ字状に曲げるとともに該円形中心部分に軸穴を設けて形成した。
【００２１】
フック部６は、ピン３を係止させる目的にて、帯状の板をＵ字状に曲げるとともにその略中段位置に狭窄するくびれ部７と、ピン３の太さ寸法より大きく且つピン３の膨張部８より狭くした保持部９を設けて形成した。
【００２２】
上記部材を用いてロウ付け等で組み合わせることにより、両端を所定の間隔で開放した飾り部１の一端２に、耳朶のピアス孔に挿通するピン３を対向端４に向けて枢軸動可能に回動させる枢軸部５と、対向端４に前記ピン３を任意の位置で係止するフック部６と、前記ピン３の先端に膨張部８と、からなる遮断式ピアス１０を示した。
【００２３】
図２は、本考案の遮断式ピアスのフック部６がピン３を開放・係止する状態を示す部分拡大図であり、
（ａ）は、フック部６のくびれ部７の侠着力に抗してピン３を矢印Ａ方向に起こすように回動させることで、フック部６に対して、膨張部８を有するピン３が開放状態であることを示し、フック部６に設けたくびれ部７はピン３の太さ寸法より狭く且つピン３の膨張部８より狭くした保持部９を設けて形成したことを示す。
（ｂ）は、ピン３を矢印Ｂ方向に倒すように回動させてフック部６のくびれ部７の弾性に抗して押し込むことでフック部６の保持部９にて膨張部８を有するピン３が係止状態であることを示す。
【００２４】
本考案の遮断式ピアスの使用に際しては、ピン３を開放状態で耳朶の孔に挿通したのち、ピン３をＢ方向に回動させ倒してフック部６のくびれ部７の弾性に抗して押し込むことでピン３がフック部６の保持部９で係止される。
ピン３をフック部６より外す場合は、ピン３をＡ方向に起こすように回動させることで、フック部６のくびれ部７の侠着力に抗して保持部９から外れてフック部６から開放させることができる。
【００２５】
図３は、本考案の遮断式ピアスのピン３の先端に膨張部８を設けたことにより、ピン３がフック部６より抜け出ない状態を（ａ）は斜視図、（ｂ）は平面図、（ｃ）は正面図を切り欠いて示した拡大図であり、
（ｃ）の正面図より、ピン３に対して矢印Ａの下方向からくびれ部７の侠着力に抗しない力が加わった場合は、ピン３はフック部６のくびれ部７にて係止されているため、ピン３がフック部６より外れことはなく、
また、飾り部１が矢印Ｂの径が広がる方向に力が加わった場合は、ピン３に設けた膨張部８が保持部９より大きいためフック部６の保持部９より抜け出ないことにより、ピン３がフック部６より外れことはなく、当該ピアスが耳朶より落下する問題が解消できたことを示す。
【００２６】
また、図示は省略したが、ピン３の先端に設ける膨張部は、耳朶に設けた孔に挿通できることを前提として、保持部の幅寸法より広くした例えばかしめて板状にしてもよく、また、宝石である真珠等を取り付けて膨張部とすることも可能である。
【００２７】
図４は、従来の遮断式ピアスのピン１３が係止する状態を（１）は斜視図、（２）は平面図、（３）は正面図を切り欠いて示した拡大図であり、
（１）斜視図と、（２）平面図より、ピン１３に対して矢印Ａの下方向からくびれ部７の侠着力に抗しない力が加わった場合は、ピン１３はフック部１６のくびれ部１７にて係止されているため、ピン１３がフック部１６より外れことはないが、
（３）正面図より、飾り部１１が矢印Ｂの径が広がる方向に力が加わった場合は、ピン先端１３ａはフック部１６より抜け出てピン１３がフック部１６より外れ、当該ピアスが耳朶より落下する問題があることを示す。
【００２８】
図１〜図３にて装着時に耳朶より落下する問題を解消するとともに大柄形状にて軽量化を図ることが可能であるためデザイン性に優れ、しかも、構成が簡素で、製造し易く、経済的にも優れた遮断式ピアスの提供が可能となった。
【符号の説明】
【００２９】
１  飾り部
２  飾り部一端
３  ピン  
４  飾り部対向端  
５  枢軸部
６  フック部
７  くびれ部
８  膨張部
９  保持部
１０  遮断式ピアス
１１  飾り部
１２  飾り部一端
１３  ピン  
１４  飾り部対向端  
１５  枢軸部
１６  フック部
１７  くびれ部
【図１】
0003149963.tif 000003
【図２】
0003149963.tif 000004
【図３】
0003149963.tif 000005
【図４】
0003149963.tif 000006